(57)【要約】【課題】液晶パネルを照明する光源を利用して表示装置の外部環境を照明する。【解決手段】少なくとも光源を光源用筐体１２１に格納し、光源用筐体１２１を表示装置用筐体１３０に格納することにより液晶パネル１１０と別体に構成する。表示装置用筐体１３０には、開口部に開閉自在の扉１３１が設けられている。扉１３１が開いた状態において、光源用筐体１２１は、開口部から引き出し可能である。【選択図】図１
2011170976.tif 000002
【特許請求の範囲】
【請求項１】
液晶パネルと、当該液晶パネルの背面に設けられ該パネルを背面から照明する光源とを表示装置用筐体に格納した表示装置において、
少なくとも前記光源を光源用筐体に格納し、当該光源用筐体を前記表示装置用筐体に格納することにより前記液晶パネルと別体に構成し、
前記表示装置用筐体の上方側面、左側面、又は右側面に開口部と、当該開口部に開閉自在の扉を設け、
前記扉が開いた状態において、前記光源用筐体は、前記開口部から引き出し可能であることを特徴とする表示装置。
【請求項２】
液晶パネルと、当該液晶パネルの背面に設けられた導光板と、当該導光板の側方から照明する光源を表示装置用筐体に格納した表示装置において、
前記光源は、発光素子と、当該発光素子の照明光を所定方向に照明する反射鏡よりなり、
前記光源を回動する回動機構と、前記光源の発光制御及び前記回動機構の回動制御を行う照明制御部を備え、
前記表示装置用筐体の前記光源の格納箇所に対応する当該表示装置用筐体の正面部分に光透過部材で構成される窓部を備え、
前記照明制御部は、照明指示操作に基づき、前記光源の前記発光素子を点灯すると共に、前記光源を回動させ、前記光源の照明光を、前記光透過部材を介して表示装置外部に出射することを特徴とする表示装置。
【請求項３】
液晶パネルと、当該液晶パネルの背面に設けられ該パネルを背面から照明する光源とを備えた表示装置において、
入力される映像信号に基づき液晶パネルの映像表示を制御する液晶制御部と、
前記液晶制御部の映像表示に基づき前記光源に設けられた各発光素子の発光を個別に制御する光源制御部と、
前記表示装置を照明装置として機能させる照明制御部を備え、
前記照明制御部は、照明指示操作に基づき、液晶パネルの所定領域に対応する部分の液晶画素の開口率を照明開口率に制御し、当該液晶画素以外の液晶画素の開口率を最小に制御する制御信号を前記液晶制御部に出力すると共に、前記液晶パネルの所定領域に対応する部分の液晶画素を照明する発光素子を点灯し、当該点灯した発光素子以外の発光素子を消灯する制御信号を前記光源制御部に出力することを特徴とする表示装置。
【発明の詳細な説明】
【技術分野】
【０００１】
本発明は、光源を備えた表示装置に係り、特に、光源を利用して表示装置の外部を照明する表示装置に関する。
【背景技術】
【０００２】
液晶パネルと液晶パネルを照明する光源（バックライトとも言う）を備えた表示装置が様々提案されている。例えば、特許文献１には、エッジライト方式又は直下方式の液晶表示装置が開示されている。
【先行技術文献】
【特許文献】
【０００３】
【特許文献１】特開２０００−１００９５号公報
【発明の概要】
【発明が解決しようとする課題】
【０００４】
ところで、このような表示装置の光源は、液晶パネルを照明するものであり、それ以外の用途に利用されることは想定されておらず、この光源を利用して表示装置の外部環境を照明することはなかった。
【０００５】
本発明は、このように従来想定されていなかった、液晶パネルを照明する光源を利用して表示装置の外部環境を照明することを目的とする。
【課題を解決するための手段】
【０００６】
第１の技術手段は、液晶パネルと、当該液晶パネルの背面に設けられ該パネルを背面から照明する光源とを表示装置用筐体に格納した表示装置において、少なくとも前記光源を光源用筐体に格納し、当該光源用筐体を前記表示装置用筐体に格納することにより前記液晶パネルと別体に構成し、前記表示装置用筐体の上方側面、左側面、又は右側面に開口部と、当該開口部に開閉自在の扉を設け、前記扉が開いた状態において、前記光源用筐体は、前記開口部から引き出し可能であることを特徴とする表示装置である。
【０００７】
第２の技術手段は、液晶パネルと、当該液晶パネルの背面に設けられた導光板と、当該導光板の側方から照明する光源を表示装置用筐体に格納した表示装置において、前記光源は、発光素子と、当該発光素子の照明光を所定方向に照明する反射鏡よりなり、前記光源を回動する回動機構と、前記光源の発光制御及び前記回動機構の回動制御を行う照明制御部を備え、前記表示装置用筐体の前記光源の格納箇所に対応する当該表示装置用筐体の正面部分に光透過部材で構成される窓部を備え、前記照明制御部は、照明指示操作に基づき、前記光源の前記発光素子を点灯すると共に、前記光源を回動させ、前記光源の照明光を、前記光透過部材を介して表示装置外部に出射することを特徴とする表示装置である。
【０００８】
第３の技術手段は、液晶パネルと、当該液晶パネルの背面に設けられ該パネルを背面から照明する光源とを備えた表示装置において、入力される映像信号に基づき液晶パネルの映像表示を制御する液晶制御部と、前記液晶制御部の映像表示に基づき前記光源に設けられた各発光素子の発光を個別に制御する光源制御部と、前記表示装置を照明装置として機能させる照明制御部を備え、前記照明制御部は、照明指示操作に基づき、液晶パネルの所定領域に対応する部分の液晶画素の開口率を照明開口率に制御し、当該液晶画素以外の液晶画素の開口率を最小に制御する制御信号を前記液晶制御部に出力すると共に、前記液晶パネルの所定領域に対応する部分の液晶画素を照明する発光素子を点灯し、当該点灯した発光素子以外の発光素子を消灯する制御信号を前記光源制御部に出力することを特徴とする表示装置である。
【発明の効果】
【０００９】
本発明によれば、表示装置に備えられている光源を、例えば、照明スタンドとして利用することにより、表示装置の外部環境を照明することができるので、ユーザの利便性が向上する。
【図面の簡単な説明】
【００１０】
【図１】本発明の第１実施形態に係る表示装置の外観図である。
【図２】本発明の第１実施形態に係る表示装置の他の外観図である。
【図３】本発明の第２実施形態に係る表示装置の外観図である。
【図４】本発明の第２実施形態に係る表示装置におけるＸ−Ｘ線断面図である。
【図５】光源を説明する図である。
【図６】本発明の第２実施形態に係る表示装置の機能ブロックである。
【図７】本発明の第３実施形態に係る表示装置の外観図である。
【図８】本発明の第３実施形態に係る表示装置の機能ブロックである。
【発明を実施するための形態】
【００１１】
（第１実施形態）
図１（Ａ）、図１（Ｂ）は、本発明の第１実施形態に係る表示装置の外観図で、１は、表示装置、１１０は、液晶パネル、１２０は、液晶パネル１１０を背面から照明する直下方式の光源ユニット、１３０は、液晶パネル１１０と、光源ユニット１２０を格納する表示装置用筐体である。
【００１２】
光源ユニット１２０は、少なくとも、液晶パネル１１０を背面から照明するＬＥＤ（Light Emitting Diode）等の発光素子からなる光源と光源を格納する光源用筐体１２１から構成される。光源用筐体１２１は、側面に取手１２２を有する。なお、発光素子としては、ＬＥＤの他にもＣＣＦＬ（Cold Cathode Fluorescent Lamp）、ＨＣＦＬ（Hot Cathode Fluorescent Lamp）等の陰極管を利用することができる。
【００１３】
発光素子の発光を制御する制御部、照明光を拡散する拡散シート、照明光を液晶パネル１１０に導光する導光板等を、光源用筐体１２１に格納してもよい。なお、これら光源、制御部、拡散シート、導光板は、図示しない。
【００１４】
このように、少なくとも光源を光源用筐体１２１に格納し、光源用筐体１２１を表示装置用筐体１３０に格納することにより液晶パネル１１０と光源を別体に構成する。
【００１５】
図１に示すように、表示装置用筐体１３０には、表示装置１の液晶パネル１１０を正面方向として右側面に開口部が設けられ、更に、開口部に、左右に観音開きする一対の開閉自在の扉１３１が設けられている。扉１３１は、観音開きする扉に限定されず様々な形の扉でよい。開口部、扉１３１は、表示装置１の液晶パネル１１０を正面方向として上方側面、又は左側面に設けてもよい。なお、図１（Ｂ）では、扉１３１の図示は省略している。
【００１６】
扉１３１は、ユーザからの操作に基づき扉開閉機構（図示しない）により開閉される。なお、扉１３１は、手動で開閉するようにしてもよいし、ユーザからのボタン操作に基づき自動的に開閉するようにしてもよい。
【００１７】
表示装置用筐体１３０は、光源ユニット１２０をスライド可能に支持するスライド機構１３２を備える。
スライド機構１３２は、光源ユニット１２０の光源用筐体１２１の底部１２３が嵌る溝部１３３を備える。
【００１８】
スライド機構１３２の溝部１３３に光源ユニット１２０の光源用筐体１２１の底部１２３が嵌ることにより、光源ユニット１２０は、スライド機構１３２によってスライド可能に支持される。
【００１９】
図１（Ａ）に示した状態から、扉１３１がユーザからの操作に基づき開くと、ユーザは、光源用筐体１２１の取手１２２を掴み光源ユニット１２０を表示装置用筐体１３０から引き出す。このとき、映像信号が表示装置１に入力され、映像が液晶パネル１１０に表示されている場合、表示装置１は、映像信号の入力を停止する。
【００２０】
図１（Ｂ）は、ユーザが、光源ユニット１２０を表示装置用筐体１３０から引き出している状態を示している。このように、扉１３１が開いた状態において、光源ユニット１２０の光源用筐体１２１は、扉１３１が設けられた開口部から引き出し可能である。
【００２１】
ユーザは、図１（Ｂ）に示した状態から更に光源ユニット１２０を表示装置用筐体１３０から引き出して、光源ユニット１２０を表示装置用筐体１３０から分離する。
【００２２】
図２は、光源ユニット１２０を表示装置用筐体１３０から分離した状態を示す図である。
図２に示したように、光源ユニット１２０には、光源ユニット１２０の光源に電源を供給する、例えば着脱自在のコード１４１が接続されている。
【００２３】
コード１４１の他端は、表示装置１に接続されていてもよい。
このコード１４１を介して、光源ユニット１２０の発光制御を行う制御信号を表示装置１から送信して、光源ユニット１２０の発光制御等を実行してもよい。他にも、例えば、光源ユニット１２０にリモコン受光部を設け、リモコンにより光源ユニットの発光制御等を実行するようにしてもよい。
【００２４】
このようにすることで、表示装置に備えられている光源を外部照明装置として利用できるので、ユーザの利便性が向上する。また、この光源を間接照明装置として利用することで周囲の環境を間接照明することができる。
この第１実施形態に係る発明は、小型の表示装置に好適であり、ノートパソコン用ディスプレイ等に本発明を適用すれば、外出先で照明スタンドがなくとも資料閲覧や読書等を快適に行うことができる。
【００２５】
その後、照明スタンドとしての利用が終了し、例えば、テレビ番組を視聴する場合、ユーザは、光源ユニット１２０を表示装置用筐体１３０に格納する。このとき、光源ユニット１２０に設けられている接続端子（図示しない）と表示装置用筐体１３０に設けられている接続端子（図示しない）とが接続することにより、表示装置１は、光源ユニット１２０に対して電源供給や制御信号の送受信を実行することができる。
【００２６】
（第２実施形態）
図３は、本発明の第２実施形態に係る表示装置の外観図で、２は、表示装置、２１０は、液晶パネル、２２０は、光源、２３０は、表示装置用筐体、２３１は、表示装置用筐体２３０に設けられた窓部である。
【００２７】
光源２２０は、液晶パネル２１０に設けられた導光板（図示しない）を側方から照明するエッジライト方式の光源で、ＬＥＤや、ＣＣＦＬ、ＨＣＦＬ等の陰極管から構成される発光素子、この発光素子の発光を制御する制御部等から構成される。
【００２８】
表示装置用筐体２３０は、表示装置用筐体２３０の光源２２０の格納箇所に対応する表示装置用筐体２３０の正面部分に光透過部材で構成される窓部２３１を備えている。
【００２９】
図４は、図３に示した表示装置２のＸ−Ｘ線断面図である。図４（Ａ）は、発光素子２２１からの照明光を反射する反射鏡２２２の開口部２２３が導光板２２４方向に向いている状態を示す図である。反射鏡２２２は、後述するように、矢印Ｄ方向に回動可能に設けられている。図４（Ｂ）は、反射鏡２２２の開口部２２３が表示装置用筐体２３０の窓部２３１方向に向いている状態を示す図である。
【００３０】
図４（Ａ）に示した状態において、発光素子２２１からの照明光は、導光板２２４内に入射する。導光板２２４に入射した光は、表面反射を繰り返しながら導光板２２４の全域に拡散する。この入射光が拡散する過程で、拡散光が反射ドット２２５に反射すると反射光が散乱されて、導光板２２４の表面から液晶パネル２１０方向に出射する。なお、反射ドット２２５の表面積を発光素子２２１から離れるにつれて大きくすることにより、導光板２２４全域を均一に光るようにしている。
【００３１】
なお、光漏れ防止部材２３２は、ゴム等の弾性体から構成され、導光板２２４方向を照明する際に、反射鏡２２２の開口部２２３と導光板２２４との間に形成される隙間から、照明光の光漏れを防ぐものである。
【００３２】
図４（Ａ）に示した状態から、反射鏡２２２の開口部２２３が表示装置用筐体２３０の窓部２３１に向くように、反射鏡２２２を回動させると、図４（Ｂ）に示したように、発光素子２２１からの照明光は、表示装置用筐体２３０の窓部２３１方向に出射して、表示装置２の正面方向を照明する。なお、光漏れ防止部材２３３は、ゴム等の弾性体から構成され、表示装置２の正面方向を照明する際に、反射鏡２２２の開口部２２３と窓部２３１との間に形成される隙間から、照明光の光漏れを防ぐものである。
【００３３】
図５は、光源２２０を説明する図である。
光源２２０は、発光素子２２１と発光素子２２１の照明光を所定方向に照明する反射鏡２２２よりなる。発光素子２２１の下部２２６は、反射鏡２２２の底板２２７に固定されている。発光素子２２１には、電源装置（図示しない）から電源が供給され、制御部（図示しない）の制御に基づき、発光制御がなされる。なお、回動制御の詳細については、後述する。
【００３４】
反射鏡２２２は、モータ等から構成される回動機構２４０の回転軸２４１に固定・支持されている。反射鏡２２２は、回動機構２４０の回転軸２４１の回動に伴い回動する。回動機構２４０の回動制御については、後述する。
なお、発光素子２２１、反射鏡２２２、回動機構２４０は、例えば、表示装置２の右側だけに限定されず、左側や上方に設けることができる。
【００３５】
図６は、表示装置２の機能ブロック図で、表示装置２は、液晶パネル２１０、光源２２０、回動機構２４０、映像信号入力Ｉ／Ｆ２５１、映像信号処理部２５２、電極駆動制御部２５３、光源制御部２５４、回動機構制御部２５５、操作部２５６、リモコン受信部２５７、制御部２５８を備える。
【００３６】
液晶パネル２１０は、液晶層とこの液晶層に走査信号及びデータ信号を印加する電極とを有するアクティブマトリクス型の液晶パネルである。
映像信号入力Ｉ／Ｆ２５１は、放送受信チューナー等の映像信号を表示装置２に入力するインターフェイスとして機能し、入力された映像信号を映像信号処理部２５２に出力する。
【００３７】
映像信号処理部２５２は、入力される映像信号に対して各種画像処理を施すＩＣや、電極駆動制御部２５３、光源制御部２５４を駆動するタイミングコントロール信号を生成するＩＣを備え、入力される映像信号を電極駆動制御部２５３、光源制御部２５４に出力する。
【００３８】
電極駆動制御部２５３は、映像信号処理部２５２が出力した映像信号に基づき液晶パネル１１０の走査電極及びデータ電極を駆動する。
【００３９】
光源制御部２５４は、映像信号処理部２５２が出力した映像信号に係る映像フレームの平均輝度値を算出し、算出した平均輝度値に基づき、光源２２０の発光素子２２１の発光制御を行う。また、制御部２５８からの制御に基づき、光源２２０の発光素子２２１の発光制御を行う。
【００４０】
回動機構制御部２５５は、制御部２５８が出力する制御信号に基づき、回動機構２４０の回動を制御する。前述したように、回動機構２４０は、モータ等から構成され、回動機構２４０の回転軸は、反射鏡２２２の底板２２７に固定され、反射鏡２２２を支持し回動させる。
【００４１】
操作部２５６は、表示装置２を操作するための各種ボタンから構成され、各種操作指示信号を制御部２５８に出力する。
リモコン受信部２５７は、表示装置２をリモート制御するリモコンが送信する各種操作指示信号を受信し、制御部２５８に出力する。
【００４２】
制御部２５８は、各種機能ブロックを制御する。また、制御部２５８の照明制御部２５８ａは、ユーザからの照明指示操作に基づき、光源２２０を点灯すると共に、回動機構制御部２５５を制御し、回動機構２４０を回動させる。
【００４３】
以下に、第２実施形態の表示装置２において実行される外部照明について説明する。
図４（Ａ）に示した状態において、表示装置２のユーザが、操作部２５６のボタンを操作して、照明指示操作を行うと、制御部２５８の照明制御部２５８ａは、このボタン操作を検知し、光源制御部２５４、及び、回動機構制御部２５５に照明開始制御信号を送信する。なお、このとき、映像信号処理部２５２が、電極駆動制御部２５３を駆動して、液晶パネル２１０に映像を表示している場合、照明制御部２５８ａは、映像表示処理を中止するように、映像信号処理部２５２等を制御する。
【００４４】
照明開始制御信号を受信した回動機構制御部２５５は、回動機構２４０の回転軸を回動させ、図４（Ｂ）に示すように、反射鏡２２２の開口部２２３が表示装置用筐体２３０の窓部２３１に向くように、反射鏡２２２を回動させる。
この回動が終了すると、照明開始制御信号を受信した光源制御部２５４は、光源２２０の照明を開始する。
【００４５】
すなわち、照明制御部２５８ａは、ユーザからの照明指示操作に基づき、光源２２０の発光素子２２１を点灯すると共に、光源２２０を回動させ、光源２２０の照明光を、窓部２３１に設けられた光透過部材を介して表示装置２の外部に出射する。
【００４６】
このようにすることで、表示装置に備えられている光源を外部照明装置として利用できるので、ユーザの利便性が向上する。また、この第２実施形態に係る発明は、小型の表示装置だけでなく大型の表示装置にも好適である。大型の表示装置に本発明を適用すれば、外部照明装置を使用せずとも周囲の環境を十分明るくすることができる。また、間接照明として周囲の環境を照明することができる。
【００４７】
また、図４（Ｂ）に示した状態において、表示装置２のユーザが、操作部２５６のボタンを操作して、照明停止指示操作を行うと、制御部２５８の照明制御部２５８ａは、このボタン操作を検知し、光源制御部２５４、及び、回動機構制御部２５５に照明停止制御信号を送信する。
【００４８】
照明停止制御信号を受信した回動機構制御部２５５は、回動機構２４０の回転軸を回動させ、図４（Ａ）に示すように、反射鏡２２２の開口部２２３が導光板２２４に向くように、反射鏡２２２を回動させる。そして、照明停止制御信号を受信した光源制御部２５４は、光源２２０の照明を停止する。
【００４９】
（第３実施形態）
図７は、本発明の第３実施形態に係る表示装置の外観図である。
表示装置３の光源は、発光素子として複数のＬＥＤを有する直下方式の光源であり、更に、各ＬＥＤの発光消灯が可能なローカルディミング（Local Dimming）機能を有する。
【００５０】
表示装置３は、ユーザからの照明指示操作に基づき、液晶パネル３１０の所定領域３１０ａに対応する部分の液晶画素の開口率を照明開口率（例えば、最大開口率１００％）に制御し、所定領域３１０ａ以外の所定領域３１０ｂに対応する部分の液晶画素の開口率を最小（例えば、開口率０％）にする。
【００５１】
そして、液晶パネル３１０の所定領域３１０ａに対応する部分の液晶画素を照明する発光素子を点灯し、点灯した発光素子以外の発光素子を消灯する。
【００５２】
図８は、本発明の第３実施形態に係る表示装置３の機能ブロックで、表示装置３は、映像信号入力Ｉ／Ｆ３５１、映像信号処理部３５２、電極駆動制御部（液晶制御部）３５３、光源制御部３５４、光源３５５、操作部３５６、リモコン受信部３５７、制御部３５８を備える。
【００５３】
映像信号入力Ｉ／Ｆ３５１、映像信号処理部３５２、操作部３５６、リモコン受信部３５７は、それぞれ、図６に示した表示装置２の映像信号入力Ｉ／Ｆ２５１、映像信号処理部２５２、操作部２５６、リモコン受信部２５７と同じ機能を有するのでその説明を省略する。
【００５４】
電極駆動制御部３５３は、入力される映像信号に基づき液晶パネルの映像表示を制御する。具体的には、映像信号処理部２５２が出力した映像信号に基づき液晶パネル２１０の走査電極及びデータ電極を駆動する。
【００５５】
光源制御部３５４は、電極駆動制御部３５３の映像表示に基づき光源３５５に設けられた各発光素子の発光を個別に制御する。
【００５６】
光源３５５は、発光素子として複数のＬＥＤを有する直下方式の光源である。また、光源３５５は、光源制御部３５４の制御に基づき各ＬＥＤの発光消灯が可能なローカルディミング機能を有する。
【００５７】
制御部３５８は、各種機能ブロックを制御する。また、制御部３５８の照明制御部３５８ａは、表示装置３を照明装置として機能させる制御を実行する。
【００５８】
以下に、第３実施形態の表示装置３において実行される外部照明について説明する。
表示装置３のユーザが、操作部３５６のボタンを操作して、照明指示操作を行う。また、照明指示操作と共に、液晶パネル３１０のどの領域を照明するかを指示する。
【００５９】
すると、制御部３５８の照明制御部３５８ａは、このボタン操作を検知し、前記領域の照明指示に基づき、液晶パネル３１０の照明領域を示す照明領域情報を生成する。
【００６０】
次いで、照明制御部３５８ａは、電極駆動制御部３５３、光源制御部３５４に、照明領域情報を含む照明開始制御信号を送信する。
具体的には、照明制御部３５８ａは、ユーザからの照明指示操作に基づき、液晶パネル３１０の所定領域に対応する部分の液晶画素の開口率を照明開口率に制御し、前記液晶画素以外の液晶画素の開口率を最小に制御する照明開始制御信号を電極駆動制御部３５３に出力すると共に、液晶パネル３１０の所定領域に対応する部分の液晶画素を照明する発光素子を点灯し、前記点灯した発光素子以外の発光素子を消灯する照明開始制御信号を光源制御部３５４に出力する。前記液晶パネル３１０の所定領域は、前記照明領域情報に対応する照明領域を示している。
【００６１】
なお、このとき、映像信号処理部３５２が、電極駆動制御部３５３を駆動して、液晶パネル３１０に映像を表示している場合、制御部３５８は、映像表示処理を中止するように、映像信号処理部３５２等を制御する。
【００６２】
照明開始制御信号を受信した電極駆動制御部３５３は、液晶パネル３１０の所定領域に対応する部分の液晶画素の開口率を照明開口率に制御し、前記液晶画素以外の液晶画素の開口率を最小に制御する。
【００６３】
また、照明開始制御信号を受信した光源制御部３５４は、液晶パネル３１０の所定領域に対応する部分の液晶画素を照明する発光素子を点灯し、前記点灯した発光素子以外の発光素子を消灯する。
【００６４】
このようにすることで、表示装置に備えられている光源を外部照明装置として利用できるので、ユーザの利便性が向上する。また、この第３実施形態に係る発明は、小型の表示装置だけでなく大型の表示装置にも好適である。また、間接照明として周囲の環境を照明することができる。
例えば、ユーザが、表示装置の下方部分のみを照明したい場合に、前述した照明制御を実行すれば、ユーザが所望する部分のみを照明できるので、消費電力を削減することができる。
【００６５】
その後、表示装置３のユーザが、操作部３５６のボタンを操作して、照明停止指示操作を行うと、制御部３５８の照明制御部３５８ａは、このボタン操作を検知し、電極駆動制御部３５３、光源制御部３５４に照明停止制御信号を送信する。
【００６６】
照明停止制御信号を受信した電極駆動制御部３５３は、例えば、全液晶画素の開口率を最小にする等して、前述した液晶画素の開口率制御を停止する。
【００６７】
また、照明停止制御信号を受信した光源制御部３５４は、光源３５５のＬＥＤを消灯する。
【００６８】
（変形例）
他にも、光源の調色、調光が可能であれば、表示装置本体やリモコンに調色ボタン、調光ボタンを設け、このボタンを利用して、光源の調色、調光を実行してもよい。
【符号の説明】
【００６９】
１…表示装置、１１０…液晶パネル、１２０…光源ユニット、１２１…光源用筐体、１２２…取手、１２３…底部、１３０…表示装置用筐体、１３１…扉、１３２…スライド機構、１３３…溝部、１４１…コード、２…表示装置、２１０…液晶パネル、２２０…光源、２２１…発光素子、２２２…反射鏡、２２３…開口部、２２４…導光板、２２５…反射ドット、２２６…下部、２２７…底板、２３０…表示装置用筐体、２３１…窓部、２３２…光漏れ防止部材、２３３…光漏れ防止部材、２４０…回動機構、２４１…回転軸、２５１…映像信号入力Ｉ／Ｆ、２５２…映像信号処理部、２５３…電極駆動制御部、２５４…光源制御部、２５５…回動機構制御部、２５６…操作部、２５７…リモコン受信部、２５８…制御部、２５８ａ…照明制御部、３…表示装置、３１０…液晶パネル、３１０ａ…所定領域、３１０ｂ…所定領域、３５１…映像信号入力Ｉ／Ｆ、３５２…映像信号処理部、３５３…電極駆動制御部、３５４…光源制御部、３５５…光源、３５６…操作部、３５７…リモコン受信部、３５８…制御部、３５８ａ…照明制御部。
【図１】
2011170976.tif 000003
【図２】
2011170976.tif 000004
【図３】
2011170976.tif 000005
【図４】
2011170976.tif 000006
【図５】
2011170976.tif 000007
【図６】
2011170976.tif 000008
【図７】
2011170976.tif 000009
【図８】
2011170976.tif 000010